(57)【特許請求の範囲】
【請求項１】
外周部に係合溝を形成した回動部材と、
前記回動部材を前後方向に移動可能で、かつ回動可能に収容するボディと、
前記回動部材の後方への押し込みを検知する検知部と、
携帯機との間で電子認証を行う制御部が、前記検知部から検知信号を受信することにより、前記電子認証の認証結果に応じて発信する作動信号によって作動するアクチュエータと、
該アクチュエータによって作動し、前記回動部材の係合溝に係合して前記回動部材の回動を阻止するロック部材とを備えたステアリングロック装置において、前記アクチュエータが作動して前記ロック部材と前記回動部材の係合溝との係合が解除されたときには前記係合溝を塞いで前記ロック部材が前記係合溝に再係合するのを阻止し、前記回動部材が前方に引き出されたときには前記再係合阻止を解除するようにした可動部材を設けたことを特徴とするステアリングロック装置。
【請求項２】
前記可動部材は、前記回動部材の係合溝内に移動可能に配置されるとともに前記回動部材に付勢部材を介して連結されおり、前記回動部材が後方に押し込まれたときには前記付勢部材により後方に付勢されて前記ロック部材の係合解除後に前記係合溝を塞ぎ、前記回動部材が前方に引き出されることにより引っ張られて移動することで前記ロック部材が係合可能なように前記係合溝を開放することを特徴とする請求項１に記載のステアリングロック装置。
【発明の詳細な説明】
【０００１】
【発明の属する技術分野】
本発明は、自動車等の車両に用いられるステアリングロック装置に関する。
【０００２】
【従来の技術】
従来、電子キーを用いた電子認証機能により正規ユーザかどうかを判断してステアリングのロックを解除し、エンジンの始動を許可するようにしたステアリングロック装置において、メカニカルキーを必要とせずにシリンダ錠を回動させるためのノブを設けたものが知られている。この種のステアリングロック装置では、ノブの押し込みを検知して電子認証を実行し、認証が確認できたらシリンダ錠の回動をロックしているアクチュエータを作動させ、これによりシリンダ錠を回動可能な状態にしてステアリングロック解除を許可するようにしたものがある。
【０００３】
【発明が解決しようとする課題】
しかしながら、上述したタイプのステアリングロック装置では、所定時間経過することによりアクチュエータの作動がオフされる構造になっており、ノブを一旦押し込んで電子認証を行った後に、シリンダ錠を回動させることなくしばらくそのままの状態でいると、再びシリンダ錠がロックされてしまう可能性があった。それを防ぐためにはアクチュエータを長時間作動状態に保つ必要があるが、そうすると電力消費が大きくなるという問題が生じる。
【０００４】
また、ノブによりシリンダ錠をロック位置からＡＣＣ位置、オン位置、スタート位置へと回動させた後、再びロック位置に戻した場合にシリンダ錠がロックされてしまい、そのままＡＣＣ位置へ回動することができなかった。このため、再びＡＣＣ位置に回動させたい場合には、ロック位置でノブを一旦引き出した後、再度ノブを押し込んで電子認証をまた行う必要があった。
【０００５】
さらに、ステアリングロック装置にはセルの二度打ち防止のために、エンジン始動後には一旦ロック位置に戻さないとエンジンを再始動できなくしたものがあり、この場合にはエンストしたときに最初の電子認証からやり直す必要があり、エンジンの再始動が非常に面倒であった。
【０００６】
【課題を解決するための手段】
そこで、前記問題を解決するために本発明は、
外周部に係合溝を形成した回動部材と、
前記回動部材を前後方向に移動可能で、かつ回動可能に保持するボディと、
前記回動部材の後方への押し込みを検知する検知部と、
携帯機との間で電子認証を行う制御部が、前記検知部から検知信号を受信することにより、前記電子認証の認証結果に応じて発信する作動信号によって作動するアクチュエータと、
該アクチュエータによって作動し、前記回動部材の係合溝に係合して前記回動部材の回動を阻止するロック部材とを備えたステアリングロック装置において、前記アクチュエータが作動して前記ロック部材と前記回動部材の係合溝との係合が解除されたときには前記係合溝を塞いで前記ロック部材が前記係合溝に再係合するのを阻止し、前記回動部材が前方に引き出されたときには前記再係合阻止を解除するようにした可動部材を設けたことを特徴とするものである。
【０００７】
本発明のステアリングロック装置では、前記可動部材が、前記回動部材の係合溝内に移動可能に配置されるとともに前記回動部材に付勢部材を介して連結されおり、前記回動部材が後方に押し込まれたときには前記付勢部材により後方に付勢されて前記ロック部材の係合解除後に前記係合溝を塞ぎ、前記回動部材が前方に引き出されることにより引っ張られて移動することで前記ロック部材が係合可能なように前記係合溝を開放してもよい。
【０００８】
【発明の実施の形態】
以下、本発明の実施の形態について添付図面を参照して説明する。
図１は、本発明の一実施形態であるステアリングロック装置１０の前後方向の縦断面を示す。なお、図１（図５，８についても同様）では、便宜上、右側を「前」、左側を「後ろ」という。
【０００９】
ステアリングロック装置は、例えばアルミニウムなどの金属で一体成形された略円筒状のボディ１２を備えている。ボディ１２の前側内部には、シリンダ錠１４が装着されている。シリンダ錠１４は、ボディ１２に固定された円筒状のシリンダーアウタ１６と、シリンダーアウタ１６の内部に前後方向に移動可能で、かつ回動可能に収容された円筒状のロータ（回動部材）１８と、ロータ１８の内部に回動可能に収容された円柱状のシリンダ２０とからなる。
【００１０】
シリンダ２０の内部には、複数（本実施形態では１０枚）の板状タンブラ２２がシリンダ２０の軸方向に等間隔に配列されている。各タンブラ２２は、図示しないばねによりシリンダ２０の軸方向と直交する方向において交互に異なる方向に付勢され、シリンダ錠１４のキー孔１４ａ（図２参照）にメカニカルキーを挿入していないときには、その端部がシリンダ２０の外周面の両側からそれぞれ突出している。タンブラ２２の突出した端部は、ロータ１８の内周面に形成されたロック溝１８ａに係合し、これによりロータ１８内でのシリンダ２０の回動が阻止されるとともに、ロータ１８の回動が許可されればシリンダ２０はロータ１８と一体に回動可能になる。一方、シリンダ錠１４のキー孔１４ａにメカニカルキーが挿入されると、各タンブラ２２はシリンダ２０の内部に向かって移動して、突出していた各端部がシリンダ２０の外周面から引っ込む。これにより、各タンブラ２２とロータ１８のロック溝１８ａとの係合が解除され、シリンダ２０はロータ１８内でロック位置、ＡＣＣ位置、オン位置およびスタート位置の各位置に回動可能になる。
【００１１】
シリンダ２０の前端部にはノブ２４が取り付けてある。ノブ２４はスリット状の内部空間を有し、この内部空間を介してメカニカルキーをシリンダ２０のキー孔１４ａに挿入できるようになっている。また、ロータ１８内でシリンダ２０が回動可能になっているとき、ユーザがノブ２４を回すことによりシリンダ２０をロック位置、ＡＣＣ位置、オン位置およびスタート位置の各位置に回動させることができる。さらに、後述するようにシリンダーアウタ１６内でロータ１８の回動が許容されているとき、ユーザがノブ２４を回すことによりロータ１８はシリンダ２０と一緒にロック位置、ＡＣＣ位置、オン位置およびスタート位置の各位置に回動可能になる。
【００１２】
ボディ１２の上部には、アクチュエータとしてのソレノイド２６が固定されている。ソレノイド２６のプランジャ２６ａにはロックレバー（ロック部材）２８が取り付けてある。ソレノイド２６の非作動時にはロックロックレバー２８は図１に示す位置にあり、ソレノイド２６が作動したときにはロックレバー２８はプランジャ２６ａにより上方に持ち上げられることになる。
【００１３】
図１，３に示すように、ロータ１８の後方外周部には、係合溝３０が形成されている。この係合溝３０には、ソレノイド２６が非作動状態のとき前記ロックレバー２８の縁部が係合している。これにより、ロータ１８の回動が阻止されている。
【００１４】
ロータ１８の係合溝３０内には、可動部材３２がスライド移動可能に配置されている。可動部材３２は、ばね（付勢部材）３４を介してロータ１８に連結されている。図１に示す状態（すなわち、ロータ１８が押し込まれていない状態）では、ばね３４は可動部材３２に対して付勢力も引っ張り力も作用させない状態にある。一方、図４に示すように、ロータ１８が押し込まれて後方に移動したときには、ばね３４が圧縮されることより可動部材３２を後方に付勢することになる。なお、可動部材３２に連結される付勢部材は、ばねに限らず、例えばゴムなどの弾性体であってもよい。
【００１５】
図１を再び参照すると、シリンダ２０の後端部には、カム４２を一体形成したシャフト４０が連結されている。カム４２には、略コ字状のロックシャフト４４が図示しないばねにより付勢されて当接している。これにより、シリンダ錠１４をロック位置からＡＣＣ位置に回動させるとシャフト４０およびカム４２が回転し、ロックシャフト４４が図１中奥側に後退する。その結果、ロックシャフト４４の先端部が図示しないステアリングシャフトの凹部から外れて、ステアリングロックが解除されるようになっている。
【００１６】
ボディ１２の後端部には、イグニッションスイッチ５０が装着されている。イグニッションスイッチ５０の内部に貫通して延びたシャフト４０の後端部には、導電部４６が設けられている。イグニッションスイッチ５０の内部には、前記導電部４６に対向してスイッチ（検知部）５２が配置されている。このスイッチ５２は、ノブ２４を押し込んだときにシャフト４０の後端部の導電部４６が接触することによりシリンダ２０およびロータ１８が後方に移動したことを検知するためのものである。
【００１７】
前記スイッチ５２は、コントローラ５４に電気的に接続されている。コントローラ５４は、前記ソレノイド２６に電気的に接続されている。コントローラ５４は、スイッチ５２から検知信号を受信すると、ユーザが持つ電子キー（携帯機）５６との間で信号を無線でやり取りすることにより電子認証を行い、認証が確認できたらソレノイド２６に作動信号を送信するようになっている。
【００１８】
ロータ１８の前側内部には、スライダ６０がシリンダ２０の軸方向と直交する方向にスライド移動可能に配置されている。スライダ６０はシリンダ２０のキー孔１４ａと同様のキー挿入孔６０ａを有しているが、このキー挿入孔６０ａはメカニカルキー未挿入時にはシリンダ２０のキー孔１４ａとはずれた位置にある。
【００１９】
スライダ６０の下部に当接して略Ｌ字状のスライドピン６２が設けてある。スライドピン６２は、ロータ１８と共に前後方向にスライド移動可能になっている。スライドピン６２の配設位置近傍のシリンダーアウタ１６の内周面には、後方にスライド移動してきたスライドピン６２が嵌り込むための凹部１６ａが形成されている。この凹部１６ａには、ボディ１２の下部に取り付けたキー検知スイッチ６４の検知ピン６６が突出している。
【００２０】
次に、以上の構成からなるステアリングロック装置１０の動作について説明する。
ユーザがエンジンを始動する手順として、図５に示すように、ロータ１８およびシリンダ２０がロック位置にある状態において、まずノブ２４を矢印Ａ方向に押し込む。これにより、ロータ１８、シリンダ２０、スライダ６０、スライドピン６２およびシャフト４０が一体的に後方へ移動する。このとき、図４に示すように、ロータ１８が後方へ移動することによりばね３４が圧縮され、圧縮されたばね３４により可動部材３２がロックレバー２８に対して付勢される。
【００２１】
また、ノブ２４の押し込みによりシャフト４０の後端の導電部４６がスイッチ５２に接触する。これにより、ノブ２４およびロータ１８が後方へ押し込まれたことを検知したスイッチ５２は、検知信号をコントローラ５４へ送信する。検知信号を受信したコントローラ５４は、ユーザが持つ電子キー５６へ電波を発信し、これに応じて電子キー５６から発信された電波信号を受信し、これにより電子認証を行う。そして、コントローラ５４は、認証を確認できたらソレノイド２６に作動信号を送信する。
【００２２】
ソレノイド２６は、コントローラ５４からの作動信号により作動して、プランジャ２６が引っ込む。これにより、プランジャ２６に取り付けられたロックレバー２８が持ち上げられてロータ１８の係合溝３０との係合が解除され、ロータ１８の回動が許容される。これと同時に、図６に示すように、ばね３４により付勢された可動部材３２が移動してロックレバー２８の下に潜り込み、これにより係合溝３０を塞ぐ。
【００２３】
ソレノイド２６の作動は所定時間経過するとオフされ、プランジャ２６がソレノイド２６から突出することによりロックレバー２８が下降する。しかし、図７に示すように、ロータ１６の係合溝３０は可動部材３２により塞がれているため、ロックレバー２８は可動部材３２の上部に当接して係合溝３０への再係合が阻止される。
なお、可動部材３２の上面は係合溝３０が形成されているロータ１６の外周面と面位置となるようにしてあるため、可動部材３２の上部に当接したロックレバー２８はロータ１６の回動に何ら支障をきたさない。
【００２４】
この状態で、ユーザはノブ２４を回してシリンダ２０およびロータ１８をロック位置からＡＣＣ位置、オン位置、スタート位置へと回動させ、シャフト４０を介してイグニッションスイッチ５０を作動させることによりエンジンを始動させる。シリンダ２０およびロータ１８がロック位置からＡＣＣ位置に回動したとき、これらと共にシャフト４０およびカム４２が回転してロックシャフト４４が移動することにより、ロックシャフト４４の先端部がステアリングシャフトの凹部から外れてステアリングロックが解除される。なお、エンジン始動後、ユーザがノブ２４から手を離すとシリンダ２０、ロータ１８およびノブ２４はオン位置に自動復帰する。
【００２５】
エンジンを停止する際には、ユーザはノブ２４をエンジン始動時とは反対方向に回すことによりシリンダ２０およびロータ１８をオン位置からＡＣＣ位置、ロック位置へと戻り回動させる。シリンダ２０およびロータ１８がロック位置まで戻ると、ロックシャフト４４がカム４２の回転により移動してステアリングシャフトの凹部に係合し、ステアリングロックされる。このとき、ロータ１８の係合溝３０は可動部材３２で塞がれた状態のままであるため、ロックレバー２８は前記係合溝３０に係合できず、ロータ１８はロックされない。したがって、再度エンジンを始動させる場合には、そのままノブ２４を回してロータ１８およびシリンダ２０を回動させればよい。このようにしたことで、セルの二度打ち防止機能を備えたものでは、エンスト等でエンジンを再始動するときにも、ロータ１８を一旦引き出してから再度押し込んで電子認証からやり直さなければならないという煩雑な手順を踏む必要がなくなる。
【００２６】
ユーザが、ノブ２４によりシリンダ２０およびロータ１８をロック位置に戻した状態で、図５に示すように、ノブ２４を矢印Ｂ方向に引き出すと、シリンダ２０、ロータ１８およびシャフト４０が前方に移動する。このとき、図７の状態にある可動部材３２は、ロータ１８に連結されたばね３４を介して前方に引っ張られて元の位置（すなわち図３に示す状態）へと移動する。このように可動部材３２が移動することで、ロックレバー２８の係合溝３０への再係合阻止状態が解除される。すなわち、図３に示すように、可動部材３２の移動により係合溝３０が開放され、可動部材３２との当接が外れたロックレバー２８が下降して係合溝３０に再係合する。これにより、ロータ１８がロックされる。
【００２７】
ところで、前記ステアリングロック装置１０は、ノブ２４だけでなく、メカニカルキーによっても操作可能である。ノブ２４のスリット状内部空間を介してメカニカルキーをシリンダ２０のキー孔１４ａ（図２参照）に挿入するとき、図１に示すように、スライダ６０のキー挿入孔６０ａがシリンダ２０のキー孔１４ａからずれており、かつ、スライドピン６２がスライダ６０とシリンダーアウタ１６との間に介在しているため、そのまままの状態ではメカニカルキー２をシリンダ２０の内部に挿入することができない。
【００２８】
そこで、メカニカルキーの先端をシリンダ２０のキー孔１４ａに浅く挿入した状態でメカニカルキーを押しこむと、図８に示すように、スライダ６０、スライドピン６２、シリンダ２０およびロータ１８が一体的に後方に移動する。これにより、スライドピン６２がシリンダーアウタ１６の内周面の凹部１６ａ内に入り込むことでスライダ６０が縦方向（シリンダ２０の軸と直交する方向）にスライド移動可能になり、その結果、スライダ６０のキー挿入孔６０ａがシリンダ２０のキー孔１４ａに一致してメカニカルキー２をシリンダ２０に完全に挿入することができる。
【００２９】
シリンダーアウタ１６の内周面の凹部１６ａ内にスライドピン６２が入り込むことにより、キー検知スイッチ６４の検知ピン６６が押し込まれ、メカニカルキー２の挿入が検知される。このキー挿入検知は、キー抜き忘れ防止のための警告などに利用される。
【００３０】
なお、メカニカルキー２を用いた場合におけるステアリングロック解除、電子認証によるロータ１６の解除、可動部材３２の作用などは、上述したノブ２４を用いた場合と同様であるため、ここでの再度の説明はしない。ただし、ソレノイド２６が作動してロータ１８のロックが解除されても、スライドピン６２がロータ１８およびシリンダーアウタ１６の両方に係合しているため、メカニカルキー２を回したときにはシリンダ２０だけが回動し、ロータ１８は回動しない。
【００３１】
あるいは、キー検知スイッチ６４によりキー挿入を検知した場合には、上述した電子認証を行うことなく、かつ、ソレノイド２６を作動させないようにコントローラ５４で制御してもよい。この場合には、ロックレバー２８が係合溝３０に係合したままでロータ１８はロック状態にあり、メカニカルキー２を回すことでシリンダ２０だけが回動する。
【００３２】
【発明の効果】
以上の説明から明らかなように、本発明のステアリングロック装置によれば、回動部材を押し込んで一度ロック部材を作動させて回動部材のロックを解除すれば、回動部材を引き出す操作をしない限り再び回動部材がロックされることがない。したがって、アクチュエータを長時間作動させる必要がなく、電力消費を抑えられる。
【００３４】
さらに、ロック部材が回動部材の係合溝から脱出したときに、付勢部材で付勢された可動部材がロック部材の下に潜り込み、再びロック部材が回動部材の係合溝に侵入するのを防ぐようにしたので、簡単な構成にて不必要に回動部材がロックされないようにすることができる。
【図面の簡単な説明】
【図１】  本発明にかかるステアリングロック装置の縦断面図。
【図２】  図１のステアリングロック装置の横断面図。
【図３】  図１の部分拡大図。
【図４】  図１の部分拡大図。
【図５】  ノブを押し込んだときの状態を示すステアリングロック装置の縦断面図。
【図６】  図５の部分拡大図。
【図７】  図５の部分拡大図。
【図８】  メカニカルキーを挿入したときの状態を示すステアリングロック装置の縦断面図。
【符号の説明】
１０…ステアリングロック装置、１２…ボディ、１４…シリンダ錠、１６…シリンダーアウタ、１８…ロータ（回動部材）、２０…シリンダ、２４…ノブ、２６…ソレノイド（アクチュエータ）、２８…ロックレバー（ロック部材）、４２…カム、４４…ロックシャフト、５２…スイッチ、５４…コントローラ（制御部）、５６…電子キー（携帯機）。
【図１】
0003781644.tif 000002
【図２】
0003781644.tif 000003
【図３】
0003781644.tif 000004
【図４】
0003781644.tif 000005
【図５】
0003781644.tif 000006
【図６】
0003781644.tif 000007
【図７】
0003781644.tif 000008
【図８】
0003781644.tif 000009